(57)【要約】【課題】構成を大型化させることなく、ユーザが印刷済記録紙の仕分け作業を簡単かつ確実に行うことができる印刷装置を提供する。【解決手段】ページ単位で構成される印刷データを印刷する際に、印刷データの各ページを縮小した縮小画像で構成される仕切りデータを作成し、印刷データと仕切りデータとをプリンタ１３で印刷する。プリンタ１３は、仕切りデータを印刷した仕切り紙を排紙トレイ１３ｃに収容した後に、印刷データを印刷した印刷済記録紙を仕切り紙に積み重ねて排紙トレイ１３ｃに収容する。１つの印刷データによる印刷済記録紙が排紙トレイ１３ｃに収容された状態で、他の印刷データによる印刷済記録紙が排紙トレイ１３ｃに収容されたとき、印刷済記録紙の間に仕切り紙が介在しているので、ユーザは仕切り紙を目印として仕分け作業を簡単かつ確実に行うことができる。【選択図】図１
2008113072.tif 000002
【特許請求の範囲】
【請求項１】
ページ単位で構成される印刷データを記憶する記憶手段と、
前記印刷データを１ページずつ記録紙に印刷し、印刷済記録紙を収容部に積み重ねて収容する印刷手段と、
前記印刷データの各ページを縮小した縮小画像で構成される仕切りデータを作成する仕切りデータ作成手段と、
前記印刷データを前記記憶手段から読み出して前記印刷手段に与えると共に、前記仕切りデータを前記印刷データの前又は後に前記印刷手段に与える印刷制御手段とを備えることを特徴とする印刷装置。
【請求項２】
請求項１に記載の印刷装置において、
前記仕切りデータは、前記印刷データに含まれる全ページの前記縮小画像が１つのページ内に配置されて構成されていることを特徴とする印刷装置。
【請求項３】
請求項１に記載の印刷装置において、
前記仕切りデータは、前記印刷データのページ数が所定ページ数よりも大きいときは、先頭から所定ページ数までの各ページの前記縮小画像が１つのページ内に配置されて構成されていることを特徴とする印刷装置。
【請求項４】
請求項１に記載の印刷装置において、
前記仕切りデータ作成手段は、前記印刷データのページ数が所定ページ数より大きいときは、所定ページ数までの各ページの縮小画像で構成される第１ページと所定ページ数よりも後の各ページの縮小画像で構成される第２ページとからなる仕切りデータを作成し、
前記印刷手段は、前記仕切りデータを記録紙の両面に印刷することを特徴とする印刷装置。
【請求項５】
請求項１ないし請求項４のいずれかに記載の印刷装置において、
前記印刷手段は、前記印刷データを印刷する記録紙と同じ種類の記録紙に、前記仕切りデータを印刷することを特徴とする印刷装置。
【発明の詳細な説明】
【技術分野】
【０００１】
本発明は、ファクシミリ機能、プリンタ機能、コピー機能などの複数の機能を備えるいわゆるデジタル複合装置に好適に適用される印刷装置に関し、より詳しくは印刷済記録紙を積み重ねて排紙トレイなどの収容部に収容する印刷装置に関する。
【背景技術】
【０００２】
ファクシミリ機能を備えたデジタル複合装置においては、ファクシミリが受信されると、画像データが１ページ単位で記録紙に印刷され、印刷済記録紙は排紙トレイに排出されて収容される。そのため、１回のファクシミリ受信による印刷済記録紙が排紙トレイに収容されている状態で、さらに別のファクシミリが受信されると、今回のファクシミリ受信による印刷済記録紙は、前回のファクシミリ受信による印刷済記録紙の上に積み重ねられて収容されることになる。
【０００３】
したがって、デジタル複合装置のユーザは、排紙トレイからファクシミリ受信による複数枚の印刷済記録紙を取り出したときは、１回のファクシミリ受信による記録紙か、複数回のファクシミリ受信による記録紙かを判断して、印刷済記録紙の仕分け作業を行う必要がある。この仕分け作業は、印刷済記録紙の印刷内容を１枚ずつ確認しながら行うので、手間がかかり、面倒である。
【０００４】
さらに、デジタル複合装置がプリンタ機能やコピー機能を備えている場合は、プリンタ機能やコピー機能を実行した際の印刷済記録紙も、同じ排紙トレイに積み重ねて収容されるようになっている。そのため、ファクシミリ受信による印刷済記録紙が排紙トレイに収容されている状態で、プリンタ機能やコピー機能が実行されると、プリンタ機能やコピー機能による印刷済記録紙は、ファクシミリ受信による印刷済記録紙の上に積み重ねられて収容されることになる。したがって、この場合も、ユーザは印刷済記録紙の仕分け作業を行う必要があり、やはり手間がかかり、面倒である。
【０００５】
このような印刷済記録紙の仕分け作業を簡単に実行することができる技術が、例えば特許文献１に開示されている。特許文献１に開示されている画像形成装置では、１つのジョブ（例えばコピー処理）毎に、ジョブの内容が印刷されたジョブシートを出力させるようにしている。ジョブシートの印刷内容は、ジョブ番号、日付、時刻、ジョブの原稿ページ数と部数、読み取った原稿の１ページの上側半分の画像等である。ジョブシートは、本ジョブに係るコピー紙の上に、紙の縦方向がコピー紙に対して９０度の角度をなすように出力される（段落［００１４］、［００１５］及び図１参照）。また、ジョブシートとして、コピー紙とは異なる着色用紙を使用してもよい（段落［００２６］参照）。したがって、ユーザは、コピー紙とは向きや色が違うジョブシートを目印としてコピー紙の仕分け作業を行えばよいので、仕分け作業を簡単かつ確実に行うことが可能となる。
【特許文献１】特開平９−６６６４９号公報
【発明の開示】
【発明が解決しようとする課題】
【０００６】
上記従来技術のように、仕分け作業の目印となるジョブシートを、コピー紙とは違う向きで出力させる場合、ジョブシート用の給紙トレイを用意し、ジョブシート用給紙トレイ内の用紙の向きをコピー紙とは異なる向きに設定しておき、ジョブシート用紙をコピー紙とは異なる向きで供給する方法が最も単純である。しかし、この場合は、コピー紙用の給紙トレイとジョブシート用の給紙トレイとを別々に設けなくてはならず、構成が大型化するという問題が生じる。
【０００７】
また、１つの給紙トレイから用紙を供給して、ジョブシートとして使用する用紙の向きを途中で変えて排紙させることも可能である。しかし、この場合は、用紙の搬送途中で用紙の向きを変えるための搬送方向変換機構を設ける必要があり、構成が大型化するという問題が生じる。
【０００８】
さらに、ジョブシートとしてコピー紙とは色が異なる用紙を使用する場合は、上述したように、コピー紙用の給紙トレイとジョブシート用の給紙トレイとを別々に設けなくてはならず、やはり構成が大型化するという問題が生じる。
【０００９】
そこで、本発明の解決すべき課題は、構成を大型化させることなく、ユーザが印刷済記録紙の仕分け作業を簡単かつ確実に行うことができる印刷装置を提供することである。
【課題を解決するための手段】
【００１０】
上記の課題を解決するため、請求項１の発明では、ページ単位で構成される印刷データを記憶する記憶手段と、前記印刷データを１ページずつ記録紙に印刷し、印刷済記録紙を収容部に積み重ねて収容する印刷手段と、前記印刷データの各ページを縮小した縮小画像で構成される仕切りデータを作成する仕切りデータ作成手段と、前記印刷データを前記記憶手段から読み出して前記印刷手段に与えると共に、前記仕切りデータを前記印刷データの前又は後に前記印刷手段に与える印刷制御手段とを備える。
【００１１】
また、請求項２の発明では、請求項１の発明に係る印刷装置において、前記仕切りデータは、前記印刷データに含まれる全ページの前記縮小画像が１つのページ内に配置されて構成されている。
【００１２】
また、請求項３の発明では、請求項１の発明に係る印刷装置において、前記仕切りデータは、前記印刷データのページ数が所定ページ数よりも大きいときは、先頭から所定ページ数までの各ページの前記縮小画像が１つのページ内に配置されて構成されている。
【００１３】
また、請求項４の発明では、請求項１の発明に係る印刷装置において、前記仕切りデータ作成手段は、前記印刷データのページ数が所定ページ数より大きいときは、所定ページ数までの各ページの縮小画像で構成される第１ページと所定ページ数よりも後の各ページの縮小画像で構成される第２ページとからなる仕切りデータを作成し、前記印刷手段は、前記仕切りデータを記録紙の両面に印刷する。
【００１４】
また、請求項５の発明では、請求項１ないし請求項４のいずれかの発明に係る印刷装置において、前記印刷手段は、前記印刷データを印刷する記録紙と同じ種類の記録紙に、前記仕切りデータを印刷する。
【発明の効果】
【００１５】
請求項１に記載の発明によれば、ページ単位で構成される印刷データを印刷するときに、印刷データの各ページを縮小した縮小画像で構成される仕切りデータが作成される。この仕切りデータは、印刷データの前又は後に印刷手段に与えられる。したがって、印刷手段の収容部では、仕切りデータが印刷された印刷済記録紙（仕切り紙）の上に、印刷データが印刷された印刷済記録紙が積み重ねられて収容されるか、印刷データが印刷された印刷済記録紙の上に、仕切りデータが印刷された仕切り紙が積み重ねられて収容される。
【００１６】
したがって、１つの印刷データによる印刷済記録紙が収容部に収容されている状態で、他の印刷データによる印刷済記録紙が収容部に収容されたときでも、印刷済記録紙の間には仕切り紙が介在されているので、ユーザは仕切り紙を目印にして印刷済記録紙を仕分けることができる。これによって、ユーザは仕分け作業を簡単かつ確実に行うことができるようになる。また、従来技術のように新たな構成を設ける必要がないので、印刷装置の構成が大型化するのを防止できる。さらに、仕切り紙は、印刷データの各ページを縮小した縮小画像が印刷されているので、印刷データを印刷した印刷済記録紙の目次としての役割を果たす。したがって、ユーザは仕切り紙を見ることによって、印刷済記録紙の印刷内容の概要を知ることができる。
【００１７】
請求項２に記載の発明によれば、仕切り紙に印刷データの全ページの縮小画像が印刷されているため、仕切り紙を見ると印刷データの全体の概要を一目で知ることができる。
【００１８】
請求項３に記載の発明によれば、印刷データのページ数が所定ページ数より大きいときは、所定ページ数までの各ページの縮小画像で仕切りデータが作成される。例えば、印刷データのすべてのページの縮小画像で仕切りデータを構成すると、縮小画像が小さくなって内容を把握できなくなる場合がある。本発明では内容を確認できる程度の縮小画像で仕切りデータを作成することができるので、ユーザは仕切り紙を見て印刷データの内容を容易に把握できるようになる。
【００１９】
請求項４に記載の発明によれば、印刷データのページ数が所定ページ数より大きいときは、２ページ分の仕切りデータが作成され、この仕切りデータは記録紙の両面に印刷される。したがって、印刷データのページ数が大きい場合でも、仕切り紙の表面だけでなく裏面にもページの縮小画像が印刷されるので、ユーザは仕切り紙を見て印刷データ全体の内容を容易に把握できるようになる。
【００２０】
請求項５に記載の発明によれば、仕切りデータと印刷データとは同じ種類の記録紙に印刷されるので、従来技術のように向きや色の異なる記録紙を準備する必要がなくなる。これによって、１つの給紙手段から１種類の記録紙を供給すればよいので、印刷装置の構成が大型化するのを防止することができる。
【発明を実施するための最良の形態】
【００２１】
図１は、本発明の一実施形態に係る印刷装置としてのファクシミリ複合装置１の構成を示すブロック図である。ファクシミリ複合装置１は、ネットワーク（例えばＬＡＮ）２１を介してパーソナルコンピュータなどの複数の外部処理装置３１と接続されて情報処理システムを構成している。また、このファクシミリ複合装置１の機能には、プリンタ機能、ファクシミリ機能、インターネットファクシミリ機能、コピー機能、及びスキャナ機能等が含まれている。
【００２２】
ファクシミリ複合装置１は、図１に示すように、制御部１１と、該制御部１１にバス１２を介して接続された印刷手段としてのプリンタ１３、スキャナ１４、表示部１５、操作部１６、記憶手段としての記憶部１７、モデム１８、ＮＣＵ（Network Control Unit）１９、及びネットワーク通信部２０を備えている。
【００２３】
制御部１１は、このファクシミリ複合装置１の制御を統括するものであり、ＣＰＵ等を備えて構成されている。この制御部１１には、機能要素として、仕切りデータ作成手段としての仕切りデータ作成部１１ａ及び印刷制御手段としての印刷制御部１１ｂが備えられている。仕切りデータ作成部１１ａ及び印刷制御部１１ｂの役割等は、後述する。
【００２４】
プリンタ１３は、画像形成部１３ａ、給紙トレイ１３ｂ、収容部としての排紙トレイ１３ｃを備え、印刷制御部１１ｂの制御によって印刷データ及び後述する仕切りデータの記録紙への印刷を行う。給紙トレイ１３ｂは、印刷前の記録紙を複数枚収容し、排紙トレイ１３ｃは、印刷済記録紙を複数枚積み重ねて収容する。給紙トレイ１３ｂの記録紙は、図示しない記録紙搬送機構によって画像形成部１３    ａに搬送される。画像形成部１３ａは、記録紙の片面又は両面に印刷データ又は仕切りデータを印刷し、印刷済記録紙を排紙トレイ１３ｃに排出する。排紙トレイ１３ｃでは、印刷済記録紙が積み重ねられて収容される。
【００２５】
スキャナ１４は、原稿の読み取りを行うものであり、ファクシミリ送信時の原稿の読み取りや、コピー機能及びスキャナ機能使用時の原稿の読み取り等に用いられる。
【００２６】
表示部１５は、液晶表示装置等によって構成され、このファクシミリ複合装置１の操作情報等の表示に用いられる。操作部１６は、複数の操作ボタンやタッチパネル等によって構成され、このファクシミリ複合装置１の操作に用いられる。
【００２７】
記憶部１７は、ＲＯＭ、ＲＡＭ等の記憶装置を備えて構成されている。ＲＯＭには、制御部１１が実行する制御プログラム等が記憶されている。ＲＡＭには、外部処理装置３１から送信された印刷データ、ファクシミリ機能使用時にＮＣＵ１９を介して送受信されたファクシミリの送受信画像データ、コピー機能やスキャナ機能使用時に読み取られた画像データ、及びファクシミリ複合装置１の設定や保守管理等に関するデータ等が含まれている。またＲＡＭには、後述する仕切りデータが記憶される。
【００２８】
モデム１８は、ファクシミリ通信が可能なファクシミリモデムから構成されている。また、モデム１８は、ＮＣＵ１９と直接接続されている。ＮＣＵ１９は、アナログの公衆電話回線網（ＰＳＴＮ）２２との回線の閉結及び開放の動作を行うハードウェアであり、必要に応じてモデム１８を公衆電話回線網２２と接続する。なお、ＩＳＤＮ用インターフェースを備えることによって、デジタル回線網（ＩＳＤＮ）に接続するようにしてもよい。
【００２９】
ネットワーク通信部２０は、ＬＡＮ（Local Area Network）及びインターネット等の通信回線としてのネットワーク２１を介したデータ通信を担っている。より詳細には、ネットワーク通信部２０には、ＳＭＴＰ（Simple Mail Transfer Protocol）、ＰＯＰ（Post Office Protocol）、ＳＭＢ（Server Message Block）、ＨＴＴＰ（Hyper Text Transfer Protocol）等を取り扱うための機能が備えられている。ネットワーク通信部２０の具体的な機能としては、電子メールの送受、電子メールに画像データを添付して送受するインターネットファクシミリの送受、及び、ＬＡＮ又はインターネットを介したデータの送受等が含まれている。
【００３０】
また、各外部処理装置３１は、例えばパーソナルコンピュータで実現され、制御部、表示部、操作部、ネットワーク通信部、及び記憶部等が備えられている。
【００３１】
制御部は、この外部処理装置３１の制御を統括する。表示部は、外部処理装置３１の操作情報や処理結果等の表示に用いられる。操作部は、外部処理装置３１の操作に用いられる。ネットワーク通信部には、ファクシミリ複合装置１のネットワーク通信部２０とほぼ同様な機能が備えられ、外部処理装置３１とファクシミリ複合装置１との間で種々のデータ通信が行われるようになっている。
【００３２】
記憶部は、ハードディスク装置等の大容量記憶装置を備えて構成されている。記憶部の記憶内容としては、プリンタドライバやスキャナドライバ等の外部処理装置３１で実行する処理プログラム、処理プログラムによる処理結果、外部処理装置３１の設定や保守管理等に関するデータ等が含まれている。
【００３３】
本実施形態は、構成を大型化させることなく、ユーザが印刷済記録紙の仕分け作業を簡単かつ確実に行うことができるようにすることを主眼とするものである。
【００３４】
図２は、印刷データの印刷処理時の処理動作を示すフローチャートである。この処理は、ファクシミリ複合装置１にページ単位で構成される印刷データが入力されると開始される。
【００３５】
ステップＳ１では、印刷制御部１１ｂは、入力された印刷データを記憶部１７に記憶させる。プリンタ機能使用時の印刷データは、例えば外部処理装置３１からネットワーク２１を介して入力される。ファクシミリ受信時の印刷データ（画像データ）は、モデム１８又はネットワーク通信部２０を介して入力される。コピー機能使用時の印刷データ（画像データ）は、スキャナ１４から入力される。
【００３６】
ステップＳ２では、仕切りデータ作成部１１ａは、記憶部１７に記憶されている印刷データに基づいて仕切りデータを作成し、記憶部１７に記憶させる。仕切りデータは、印刷データの各ページを縮小した縮小画像で構成される画像データである。
【００３７】
図３は、仕切りデータを記録紙に印刷した際の印刷態様を示す図である。例えば、印刷データが２ページで構成されている場合は、図３（ａ）に示すように、第１ページ及び第２ページの各縮小画像Ｐａ１，Ｐａ２が１枚の記録紙Ａに配置（いわゆるＮin１フォーム（この場合は２in１フォーム）で配置）されるように各ページのデータが圧縮されて、仕切りデータが作成される。なお、印刷データが１ページで構成されている場合は、第１ページの縮小画像Ｐａ１が記録紙Ａに配置されるように（第２ページの縮小画像部分が空白となる）、データが圧縮されて仕切りデータが作成される。
【００３８】
印刷データが４ページで構成されている場合は、図３（ｂ）に示すように、第１ページ〜第４ページの各縮小画像Ｐｂ１〜Ｐｂ４が１枚の記録紙Ｂに並べて配置されるように各ページのデータが圧縮されて、仕切りデータが作成される。なお、印刷データが３ページで構成されている場合は、４ページの場合と同じ配置パターンで第１ページ〜第３ページの各縮小画像Ｐｂ１〜Ｐｂ３が記録紙Ｂに配置されるように（第４ページの縮小画像部分が空白となる）、各データが圧縮されて仕切りデータが作成される。
【００３９】
印刷データが８ページで構成されている場合は、図３（ｃ）に示すように第１ページ〜第８ページの各縮小画像Ｐｃ１〜Ｐｃ８が１枚の記録紙Ｃに並べて配置されるように各ページのデータが圧縮されて、仕切りデータが作成される。なお。印刷データが５ページ〜７ページで構成されている場合は、８ページの場合と同じ配置パターンで各縮小画像が配置されるように（ページがない部分は空白となる）、各データが圧縮されて仕切りデータが作成される。
【００４０】
ステップＳ３では、印刷制御部１１ｂは、記憶部１７から仕切りデータを読み出してプリンタ１３に与える。これによって、プリンタ１３によって仕切りデータの印刷が行われる。即ち、給紙トレイ１３ｂから記録紙が画像形成部１３ａに供給され、画像形成部１３ａによって仕切りデータが記録紙に印刷される。印刷済記録紙は、排紙トレイ１３ｃに排出される。
【００４１】
ステップＳ４では、印刷制御部１１ｂは、記憶部１７から印刷データを読み出してプリンタ１３に与える。これによって、プリンタ１３によって印刷データの印刷が行われる。即ち、給紙トレイ１３ｂから記録紙が画像形成部１３ａに供給され、画像形成部１３ａによって印刷データが記録紙に印刷される。印刷済記録紙は、排紙トレイ１３ｃに排出され、仕切りデータが印刷された印刷済記録紙の上に、積み重ねられて収容される。
【００４２】
このようにページ単位で構成される印刷データを印刷するときに、印刷データの各ページを縮小した縮小画像で構成される仕切りデータが作成される。この仕切りデータは、印刷データの前にプリンタ１３に与えられる。したがって、プリンタ１３の排紙トレイ１３ｃでは、仕切りデータが印刷された印刷済記録紙（仕切り紙）の上に、印刷データが印刷された印刷済記録紙が積み重ねられて収容される。
【００４３】
したがって、１つの印刷データによる印刷済記録紙が排紙トレイ１３ｃに収容されている状態で、他の印刷データによる印刷済記録紙が排紙トレイ１３ｃに収容されたときでも、印刷済記録紙の間に仕切り紙が介在されているので、ユーザは仕切り紙を目印にして印刷済記録紙を仕分けすることができる。これによって、ユーザは仕分け作業を簡単かつ確実に行うことができるようになる。
【００４４】
また、仕切りデータと印刷データとは同じ給紙トレイ１３ｂから供給される同じ種類の記録紙に印刷されるので、従来技術のように仕切り紙用の給紙トレイや記録紙の搬送方向変換機構を設ける必要がないので、ファクシミリ複合装置１の構成が大型化するのを防止できる。
【００４５】
さらに、仕切り紙は、印刷データの各ページを縮小した縮小画像が印刷されているので、印刷データを印刷した印刷済記録紙の目次としての役割を果たす。したがって、ユーザは仕切り紙を見ることによって、印刷済記録紙の印刷内容の概要を知ることができる。例えば、本実施形態のように仕切り紙に印刷データの全ページの縮小画像を印刷した場合、仕切り紙を見ると印刷データの全体の概要を一目で知ることができる。
【００４６】
上記実施形態では、仕切りデータを印刷してから印刷データを印刷するようにしたけれども、印刷データを印刷してから仕切りデータを印刷するようにしてもよい。この場合、排紙トレイ１３ｃでは、印刷データが印刷された印刷済記録紙の上に、仕切りデータが印刷された仕切り紙が積み重ねられて収容される。この場合でも、２つの印刷データによる印刷済記録紙が排紙トレイ１３ｃに積み重ねられて収容されたときは、印刷済記録紙の間には仕切り紙が介在されているので、ユーザは仕分け作業を簡単かつ確実に行うことができる。
【００４７】
仕切りデータを作成する場合、印刷データすべてのページを縮小した縮小画像で仕切りデータを作成してもよいが、ページ数が大きくなると縮小画像の大きさが小さくなるので、縮小画像の内容を把握しにくくなり、目次としての役割を果たせない場合がある。したがって、印刷データのページ数が所定ページ数より大きいときは、所定ページ数までの各ページの縮小画像で仕切りデータを作成するようにしてもよい。例えば、印刷データが９ページ以上で構成されている場合は、第１ページから第８ページまでの各ページの縮小画像で仕切りデータを作成するようにする。これによって、内容を確認できる程度の縮小画像で仕切りデータを作成することができるので、ユーザは仕切り紙を見て印刷データの内容を容易に把握できるようになる。
【００４８】
また、印刷データのページ数が所定ページ数より大きいときは、２ページからなる仕切りデータを作成し、記録紙の両面に仕切りデータを印刷するようにしてもよい。即ち、第１ページから所定ページ数までの各ページの縮小画像で構成される第１ページと、所定ページ数よりも後の各ページの縮小画像で構成される第２ページとからなる仕切りデータを作成し、記録紙の両面に仕切りデータを印刷するようにする。
【００４９】
例えば、印刷データが１６ページで構成されている場合は、第１ページから第８ページまでの各ページの縮小画像で構成される１ページと、第９ページから第１６ページまでの各ページの縮小画像で構成される第２ページとからなる仕切りデータを作成し、記録紙の両面に仕切りデータを印刷する。このように印刷データのページ数が大きい場合は、仕切り紙の表面だけでなく裏面にもページの縮小画像が印刷されるので、ユーザは仕切り紙を見て印刷データ全体の内容を容易に把握できるようになる。
【００５０】
なお、印刷データのページ数が所定の閾値を超えている場合は、その閾値ページより以降は使用せずに、第１ページから閾値ページまでの各ページの縮小画像を用いて仕切りデータを作成するようにする。即ち、印刷データのすべてのページの縮小画像を使用して２ページ分の仕切りデータを作成し、記録紙の両面に印刷したときに、縮小画像が小さくなって縮小画像の内容を把握しにくくなる場合は、適当なページ数までの縮小画像で仕切りデータを作成するようにする。
【図面の簡単な説明】
【００５１】
【図１】本発明の一実施形態に係る印刷装置としてのファクシミリ複合装置のブロック図である。
【図２】印刷データの印刷処理時の処理動作を示すフローチャートである。
【図３】図３（ａ）、図３（ｂ）及び図３（ｃ）は仕切りデータを記録紙へ印刷した際の印刷態様を示す図である。
【符号の説明】
【００５２】
１  ファクシミリ複合装置
１１  制御部
１１ａ  仕切りデータ作成部
１１ｂ  印刷制御部
１３  プリンタ
１３ｃ  排紙トレイ
１７  記憶部
【図１】
2008113072.tif 000003
【図２】
2008113072.tif 000004
【図３】
2008113072.tif 000005